(57)【要約】      （修正有）【課題】打ち揚げ後の玉皮のゴミを少なくすることができ、打ち上げ用の火薬の入れ忘れによる暴発を防ぐことができ、安価かつ安全な打ち揚げ花火玉を提供する。【解決手段】打ち揚げ花火玉の構成は、中心から順に、割薬３、星４、玉皮５〜８を重ねてなる打ち上げ花火玉であって、玉皮５〜８の最も外側の層に打ち揚げ火薬８の層を設けたことを特徴とする。玉皮８は、花火玉１を打ち揚げるための打ち揚げ火薬であり、瞬間的に燃焼し終わるため、隣り合う玉皮７を燃焼させることなく燃え尽きる。玉皮８は燃焼した際に大量のガスを発生し、そのガスが打揚筒に充満し花火玉１を上空へと押し上げる。玉皮８はその際に燃え尽き、発色しない。【選択図】図１
2011196668.tif 000002
【特許請求の範囲】
【請求項１】
星、玉皮を重ねてなる打ち上げ花火玉であって、
前記玉皮の最も外側の層に打ち揚げ火薬の層を設けたことを特徴とする打ち揚げ花火玉。
【請求項２】
中心から順に、割薬、星、玉皮を重ねてなる打ち上げ花火玉であって、
前記玉皮は、内側から順に、着火促進剤、火薬、糊剤、打ち揚げ火薬の４層からなることを特徴とする請求項１に記載の打ち揚げ花火玉。
【請求項３】
中心から順に、星、玉皮を重ねてなる打ち上げ花火玉であって、
前記玉皮は、内側から順に、火薬、着火促進剤、打ち揚げ火薬の３層からなることを特徴とする打ち揚げ花火玉。
【請求項４】
前記打ち揚げ火薬は下側の半球にのみ設けたことを特徴とする請求項１乃至３のいずれか１項に記載の打ち揚げ花火玉。
【発明の詳細な説明】
【技術分野】
【０００１】
本発明は、花火打揚に用いられる打ち揚げ花火玉に関するものである。
【背景技術】
【０００２】
従来、プレスで成型した紙からなる半球状の玉皮の内側に沿って星を配列し、星の内側に割薬を充填した２つの玉皮を合わせて、１つの玉とし、１つの玉の周りに紙を何重にも重ねて貼り付けてなる打ち揚げ花火玉が用いられている。
【０００３】
しかし、従来使用されている玉皮は厚く、落下後ゴミとなってしまうため、環境に対し好適ではない。また、特許文献１に記載されているように、打ち揚げ花火玉の打ち揚げ後の玉皮のゴミを少なくするため、分解可能な生分解プラスティックの玉皮を用いたものがある。また、特許文献２に記載されているように、玉皮自体を火薬として、打ち揚げ時に焼却してしまうものもある。
【０００４】
特許文献１、２に記載された花火玉は、通常の紙を用いた玉皮に比べて大変高価であり、その玉皮を使って花火を製造する場合には多くのコストがかかる。特許文献２では、飛散した玉皮自体が発色し空中に広がるため、飛散した破片による現象は極めて単純であり、日本の伝統的で緻密な花火の現象とは異なり、花火の質は低いものである。
【０００５】
また、従来の打ち上げ花火では、花火打揚筒に打ち上げ用の火薬を入れ、その打ち上げ用の火薬の爆発により、花火玉を打ち揚げている。この打ち上げ用の火薬を入れ忘れた場合には、花火玉が花火打揚筒内に残ってしまい、花火打揚筒内での暴発の危険性がある。
【先行技術文献】
【特許文献】
【０００６】
【特許文献１】特開２００２−３５００９７号公報
【特許文献２】特開２００２−２７７１９７号公報
【発明の概要】
【発明が解決しようとする課題】
【０００７】
そこで本発明は、日本の伝統的で緻密な花火玉の芸術性を保ち、打ち揚げ後の玉皮のゴミを少なくすることができ、打ち上げ用の火薬の入れ忘れによる暴発を防ぐことができ、安価かつ安全な打ち揚げ花火玉を提供することを目的とする。
【課題を解決するための手段】
【０００８】
上記課題を解決するために本発明に係る打ち揚げ花火玉の構成は、星、玉皮を重ねてなる打ち上げ花火玉であって、前記玉皮の最も外側の層に打ち揚げ火薬の層を設けたことを特徴とする。さらに、中心から順に、割薬、星、玉皮を重ねてなる打ち上げ花火玉であって、前記玉皮は、内側から順に、着火促進剤、無色の火薬、糊剤、打ち揚げ火薬の４層からなることを特徴とする。
【発明の効果】
【０００９】
本発明によれば、打ち揚げ後の玉皮のゴミを少なくすることができ、安価に製造可能な打ち揚げ花火玉を提供できる。さらに、本発明によれば、玉皮の内部を構成する割薬、星が、日本の伝統的な花火構造と同じであり、従来の芸術性と技術を維持できる。
【図面の簡単な説明】
【００１０】
【図１】第一実施形態に係る打ち揚げ花火玉の構成図である。
【図２】本実施形態に係る打ち揚げ花火玉の打ち上げ構成の説明図である。
【図３】第二実施形態に係る打ち揚げ花火玉の構成図である。
【図４】第三実施形態に係る打ち揚げ花火玉の構成図である。
【発明を実施するための形態】
【００１１】
本発明に係る打ち揚げ花火玉の実施形態について、図を用いて説明する。
【００１２】
（第一実施形態）
図１は本実施形態に係る打ち揚げ花火玉１の構成図である。図１に示すように、打ち揚げ花火玉１は、導火線２、割薬３、星４、玉皮５、６、７、８（着火促進剤、火薬、糊剤、打ち揚げ火薬）を中心から順に球状に重ねてなる。
【００１３】
図１に示すように、導火線２は、花火玉１の外側から内側の中央まで挿入されている。星４は、半球状の玉皮５の内側に沿って配列される。割薬３は、星４の内側に充填される。玉皮５〜８は、中空球形を２分割した半球形状となっている。割薬３、星４が充填された２つの玉皮５〜８を合わせて、１つの玉とする。
【００１４】
玉皮５は容易に着火可能な着火促進剤であり、割薬3の燃焼を確実に玉皮6に伝えるためのもので、着火しにくい玉皮6に合わせて用いられる。玉皮６は燃焼した際に炎の色が無色となる無色の火薬である。玉皮6は着火しにくく、内側に合わされた玉皮5の燃焼によってのみ着火を促進され、はじめて着火する。玉皮７は玉皮8の燃焼が玉皮6に伝わりにくくするために入れた糊剤である。玉皮８は、花火玉１を打ち揚げるための打ち揚げ火薬であり、瞬間的に燃焼し終わるため、隣り合う玉皮7を燃焼させることなく燃え尽きる。玉皮8は燃焼した際に大量のガスを発生し、そのガスが打揚筒に充満し花火玉１を上空へと押し上げる。玉皮8はその際に燃え尽き、発色しない。
【００１５】
なお、玉皮８は、黒色火薬を成型したものである。従来、花火の打ち揚げに使用される打ち揚げ火薬は粒状黒色火薬であり、吸湿性がある。その為水分に悪影響を受けやすく、湿気がある環境では花火玉の打ち揚げに十分な効果を発揮しないなどの状態になる。しかし本発明では、玉皮8の成型をアルコールを主成分とした材料によって行い、これにより黒色火薬がアルコールで保護されるため、水分の影響を受けにくくなり、天候に左右されることなく安全な打ち揚げを行なうことができる。
【００１６】
玉皮７は安全性を向上させるために入れるもので、玉皮８側からの燃焼が玉皮６側へ伝わらないように、所定の厚さとなっている。玉皮７の厚さは1ｍｍ〜3ｍｍが好ましい。玉皮７の厚さが、1ｍｍより薄い場合には、玉皮８側からの燃焼が玉皮６側へ伝わってしまう恐れがある。玉皮8側からの燃焼が玉皮6側へ伝わった場合には、導火線を通して割薬3へ伝わる燃焼の進行よりも早く玉皮6側から内側の玉皮5、星4、割薬3に燃焼が伝わってしまい、花火玉が所定の高度まで達する前に爆発してしまう恐れがある。玉皮７の厚さが、3ｍｍより厚い場合には、玉皮８側からの燃焼及び玉皮６側からの燃焼によっても、玉皮７が燃え尽きずゴミとなってしまう恐れがある。
【００１７】
玉皮５、６は、玉皮８が燃え尽きた状態で、割薬３、星４が爆発して飛び散る直前の爆発力を十分に大きく保てるような厚さ、強度になっている。玉皮５、６の厚さは、２つ合わせて7ｍｍ〜9ｍｍが好ましい。玉皮５、６の厚さが、7ｍｍより薄い場合には、割薬３、星４が爆発して飛び散る直前の爆発力を十分に大きく保てず、小さい花火、いびつな花火となってしまう恐れがある。玉皮５、６の厚さが、9ｍｍより厚い場合には、花火玉における玉皮の容量の割合が多すぎてしまい、玉皮の内部に配置する星4や割薬3の容量が減ってしまい、爆発力を十分に大きく保てず小さい花火になってしまう恐れがある。且つ星4や割薬3を複雑に玉皮内に配置し難くなり、芸術性を失ってしまう恐れがある。
【００１８】
玉皮８は、花火玉１を打ち揚げるための、打ち揚げ用の火薬として機能する。玉皮８に点火した際に、燃焼した玉皮８（打ち揚げ火薬）が大量のガスを発生させ、そのガスは花火打揚筒１０に充満して、このガスの圧力（爆発力）により花火玉１を花火打揚筒１０から発射させる。これにより、花火打揚筒１０の底に打ち上げ用の火薬を入れる必要がなく、打ち揚げ作業が楽になる。また、打ち上げ用の火薬を入れ忘れることがなく、花火打揚筒１０内に打ち揚げ花火玉１が残ってしまうことによる花火打揚筒内での暴発の危険性を抑制できる。打ち揚げ花火の安全性を高めることができる。
【００１９】
図２に示すように、花火玉１は、花火打揚筒１０に挿入される。花火打揚筒１０の底面には、電気導火線１１の一端が接続されており、電気導火線１１の他端は、打揚制御装置１２に接続されている。電気導火線３は、先端に発火用の火薬を有している。電気導火線３に電流が流れると、電気導火線３の先端に設けた火薬が発火し、花火打揚筒１０内の花火玉１の玉皮８が爆発し、花火玉１が打揚げられる。
【００２０】
玉皮8の燃焼によって打ち揚げられた花火玉１は、導火線２が燃焼しながら上昇する。玉皮8の燃焼は瞬間的に消えるため、玉皮７は燃焼しない。そして、上空で、導火線２の火が割薬３に引火し、割薬３が爆発して、玉皮５〜７を破裂させ、星４を飛び散らせて、打ち揚げ花火を表現する。
【００２１】
破裂して飛散した玉皮は、従来では、完全に燃え尽きない可能性があり、ゴミになってしまう。しかしながら、本発明では、破裂した玉皮５〜７は、まず着火促進剤である玉皮５が割薬３の爆発により燃えて、無色の火薬である玉皮６への着火を促進し、玉皮６が燃える。玉皮６の炎は、糊剤である玉皮７を燃やす。
【００２２】
このように、玉皮５〜８は、自発的に燃える火薬、着火促進剤、糊剤からなり、上空で確実に燃え尽きるため、打ち揚げ後に玉皮の燃えかすがゴミとして残ることがなく、ゴミを少なくすることができる。
【００２３】
ここで、玉皮５、６が薄かったり、強度が弱かったりした場合には、割薬３、星４が爆発して飛び散る直前の爆発力が小さくなり、打ち揚げられた花火は小さく、いびつな形状となりやすい。これに対し、本実施形態の玉皮５、６は、割薬３、星４が爆発して飛び散る直前の爆発力を十分に大きく保てるような厚さ、強度になっている。このため、打ち揚げられた花火は大きく、形状もよく、見栄えを損なうことがない。
【００２４】
また、玉皮６の炎の色を無色としたことにより、玉皮６の炎が花火の美観に影響することがない。なお、玉皮６の炎の色を、有色として、花火の演出に用いてもよい。
【００２５】
（第二実施形態）
次に本発明に係る打ち揚げ花火玉の第二実施形態について図を用いて説明する。上記第一実施形態と説明の重複する部分については、同一の符号を付して説明を省略する。本実施形態の花火玉１は、図３に示すように、上記第一実施形態の玉皮８に変えて、打ち揚げ火薬２０を設けたものである。打ち揚げ火薬２０は、打ち揚げ花火玉１を花火打揚筒１０に挿入した際に下側になる下半球側に、台座のように形成されている。花火玉１を花火打揚筒１０に挿入する際には、打ち揚げ火薬２０を花火打揚筒１０の底に置くようにする。打ち揚げ火薬２０の形状は、花火玉１が転がることなく安定する形状であればよく、断面円形、断面正方形等の板状等であればよい。
【００２６】
本実施形態によれば、花火打揚筒１０の上側から上記第一実施形態の玉皮８に点火した場合に比べて、ガスの圧力（爆発力）を発射方向に効率よく花火玉１へ伝えることができる。なお、上記第一実施形態の玉皮８は、球状になっているため、花火打揚筒１０へ入れる際に方向を気にする必要がないというメリットがある。
【００２７】
（第三実施形態）
次に本発明に係る打ち揚げ花火玉の第三実施形態について図を用いて説明する。第三実施形態では、星4を大きく飛散させる必要の無い、割薬3が含まれない花火玉の現象を表現するものである。上空の意図する高さで星4を燃焼させるだけの花火で、割薬3の爆発によって星4が球状に大きく広がる花火玉とは異なり、星4は大きく広がることなく、その場所で発色する。従来技術ではプレスで成型した紙からなる玉皮を使用している為、玉皮のゴミが大量に発生していた。
【００２８】
上記第一実施形態と説明の重複する部分については、同一の符号を付して説明を省略する。図４は本実施形態に係る打ち揚げ花火玉３１の構成図である。図４に示すように、本実施形態の打ち揚げ花火玉３１は、上記第一実施形態の打ち揚げ花火玉１の導火線２、割火薬3、玉皮7 を省略し、玉皮5の着火促進剤と玉皮6の無色の火薬との位置を逆にしたものである。すなわち、打ち揚げ花火玉３１は、星４、玉皮６、５、８（火薬、着火促進剤、打ち揚げ火薬）を中心から順に球状に重ねてなる。
【００２９】
図４に示すように、星４は、半球状の玉皮６の内側に沿って配列される。玉皮６、５、８は、中空球形を２分割した半球形状となっている。星４が充填された２つの玉皮６、５、８を合わせて、１つの玉とする。
【００３０】
玉皮６は燃焼した際に炎の色が無色となる無色の火薬である。玉皮５は容易に着火可能な着火促進剤である。玉皮８は、花火玉１を打ち揚げるための打ち揚げ火薬である。
【００３１】
玉皮8の燃焼によって打揚筒から発射された花火玉３１は、玉皮8の燃焼によって玉皮5の着火促進剤に着火し、玉皮6の無色の火薬に着火する。打ち上げられた花火玉３１は、玉皮6が燃焼しながら上昇し、上空で玉皮6の燃焼は内側の星4に着火し、星4が発色する。
【００３２】
本実施形態によれば、導火線を取り付ける加工を省略でき、作業効率を上げることができる。尚、花火玉３１を上空の所定の高度にまで上昇させるために玉皮6の厚さを調節する必要があり、本実施形態では、10ｍｍにしている。
【符号の説明】
【００３３】
１          …打ち揚げ花火玉
２          …導火線
３          …割薬
４          …星
５〜８      …玉皮
２０        …打ち揚げ火薬
【図２】
2011196668.tif 000003
【図１】
2011196668.tif 000004
【図３】
2011196668.tif 000005
【図４】
2011196668.tif 000006